(57)【要約】【課題】光取り出し効率を向上すること。【解決手段】光学レンズ４４は、ＬＥＤモジュール４０から放射された光が入射する入射面４４２と、入射面４４２から入射した光を出射する出射面４４３と、反射面４４４とを備える。出射面４４３は、入射面４４２と対向し、入射面４４２から離れる方向に凸形状に形成されている。反射面４４４は、ＬＥＤモジュール４０から見て、入射面４４２と出射面４４３との間に配置されている。反射面４４４は、入射面４４２から入射した光のうち、出射面４４３の第１領域４Ａに向かって進む光を、第１領域４Ａとは異なる出射面４４３の第２領域４Ｂへ反射する。第２領域４Ｂは、ＬＥＤモジュール４０の光軸Ｘ１と交差する領域である。【選択図】図１
2018124519.tif 000002
【特許請求の範囲】
【請求項１】
光源から放射された光が入射する入射面と、
前記入射面と対向し、前記入射面から離れる方向に凸形状に形成されていて、前記入射面から入射した光を出射する出射面と、
前記光源から見て、前記入射面と前記出射面との間に配置されている反射面と
を備え、
前記反射面は、前記入射面から入射した光のうち、前記出射面の第１領域に向かって進む光を、前記第１領域とは異なる前記出射面の第２領域へ反射し、
前記第２領域は、前記光源の光軸と交差する領域である
ことを特徴とする光学レンズ。
【請求項２】
前記出射面と対向する基端面と、
前記基端面から前記出射面に向かって窪む凹部と
を備え、
前記基端面は、前記光源の前記光軸に沿って見たときに、前記入射面と隣り合い、
前記凹部は、互いに対向する第１内側面及び第２内側面を有し、
前記第１内側面は、前記光源から見て前記第２内側面よりも手前に配置され、
前記凹部のうち少なくとも前記第１内側面は、空気層で覆われていて、
前記反射面は、前記第１内側面である
ことを特徴とする請求項１に記載の光学レンズ。
【請求項３】
前記出射面と対向する基端面と、
前記基端面から前記出射面に向かって窪む凹部と
を備え、
前記基端面は、前記光源の前記光軸に沿って見たときに、前記入射面と隣り合い、
前記凹部は、互いに対向する第１内側面及び第２内側面を有し、
前記第１内側面は、前記光源から見て前記第２内側面よりも手前に配置され、
前記凹部のうち少なくとも前記第１内側面は、金属層で覆われていて、
前記反射面は、前記第１内側面と接する前記金属層の表面である
ことを特徴とする請求項１に記載の光学レンズ。
【請求項４】
前記第１内側面は、前記出射面に向かうほど前記第２内側面に近づく方向に傾斜している
ことを特徴とする請求項２又は３に記載の光学レンズ。
【請求項５】
前記第１内側面は、前記基端面に向かって膨らむような曲面である
ことを特徴とする請求項４に記載の光学レンズ。
【請求項６】
前記凹部は、前記光軸に沿って見たときに、前記入射面の周囲を囲むように環状に形成されている
ことを特徴とする請求項２〜５のいずれか１項に記載の光学レンズ。
【請求項７】
前記出射面に向かって窪み、内表面で前記光源を覆うように前記光源を収容する収容部を備え、
前記入射面は、前記収容部の前記内表面である
ことを特徴とする請求項１〜６のいずれか１項に記載の光学レンズ。
【請求項８】
請求項１〜７のいずれか１項に記載の光学レンズ、及び前記光源を有した光源ユニットと、
前記光源ユニットを点灯する制御装置と、
少なくとも前記光源ユニットを収容する筐体と、
を備え、
前記筐体は、前記光学レンズの前記出射面を前記筐体の外部に露出する窓を有する
ことを特徴とする照明装置。
【請求項９】
前記光学レンズは、前記出射面の周縁に沿って前記出射面から離れる方向に突出する外鍔部を備え、
前記筐体は、前記外鍔部を支持する支持突起を有し、
前記支持突起は、前記窓の周縁に沿って前記外鍔部に向かって突出し、
前記出射面の前記第１領域は、前記光源から見たときに、前記支持突起の少なくとも一部と重なり、
前記出射面の前記第２領域は、前記光源から見たときに、前記支持突起の前記少なくとも一部と重ならない
ことを特徴とする請求項８に記載の照明装置。
【請求項１０】
請求項８又は９のいずれか１項に記載の照明装置と、
前記照明装置を支持する器具本体と
を備える
ことを特徴とする照明器具。
【発明の詳細な説明】
【技術分野】
【０００１】
本発明は、光学レンズ、照明装置及び照明器具に関し、より詳細には、光学レンズ、当該光学レンズを備えた照明装置、及び、当該照明装置を備えた照明器具に関する。
【背景技術】
【０００２】
従来例として、特許文献１記載の照明器具を例示する。この従来例は、器具本体と、常用照明用の常用光源ユニットと、非常照明用の非常用照明装置とを備えている。器具本体は、下面が開口する長尺かつ矩形の箱形に形成されている。常用光源ユニットは、複数のＬＥＤモジュールと、各ＬＥＤモジュールが取り付けられる取付部材と、各ＬＥＤモジュールを覆うようにして取付部材に取り付けられるカバーと、各ＬＥＤモジュールを点灯する電源装置とを備えている。常用光源ユニットは、器具本体の下面からカバーを露出するようにして器具本体内に収容される。
【０００３】
非常用照明装置は、非常用光源ユニットと、制御装置とを備える。非常用光源ユニットは、ＬＥＤモジュール、レンズ、カバー、非常用電源（蓄電池）などを備える。ＬＥＤモジュールの前方にレンズが配置される。カバーは、レンズを前方に露出するようにしてＬＥＤモジュールの前方に配置される。非常用電源は、ＬＥＤモジュールの後方に配置されている。制御装置は、常用電源から供給される電力で非常用電源を充電する充電回路と、常用電源の停電時に非常用電源を電源としてＬＥＤモジュールを点灯させる非常用電源回路とを備える。また、制御装置は、点検スイッチによる操作入力を受け取って点検動作を行う制御回路を備える。常用電源は、例えば、常用光源ユニットの電源装置に給電する電源（商用の交流電源）である。
【先行技術文献】
【特許文献】
【０００４】
【特許文献１】特開２０１６−１３４２０８号公報
【発明の概要】
【発明が解決しようとする課題】
【０００５】
ところで、特許文献１記載の非常用照明装置では、レンズを挿通するカバーの開口部の周縁部分、及びレンズを支持する支持部材が、レンズの側面と対向して配置されている。したがって、ＬＥＤモジュールから放射されてレンズの入射面に入射した光のうちレンズの側面に向かって進行する光は、上記周縁部分及び支持部材等によって遮光されてしまう。つまり、レンズと、レンズの近くに配置される構成部品との位置関係によっては、光取り出し効率が低下してしまうという問題がある。
【０００６】
本発明の目的は、光取り出し効率を向上することができる光学レンズ、照明装置及び照明器具を提供することである。
【課題を解決するための手段】
【０００７】
本発明の一態様に係る光学レンズは、光源から放射された光が入射する入射面と、前記入射面から入射した光を出射する出射面と、反射面とを備える。前記出射面は、前記入射面と対向し、前記入射面から離れる方向に凸形状に形成されている。前記反射面は、前記光源から見て、前記入射面と前記出射面との間に配置さている。前記反射面は、前記入射面から入射した光のうち、前記出射面の第１領域に向かって進む光を、前記第１領域とは異なる前記出射面の第２領域へ反射する。前記第２領域は、前記光源の光軸と交差する領域である。
【０００８】
本発明の一態様に係る照明装置は、光源ユニットと制御装置と筐体とを備える。前記光源ユニットは、上記光学レンズ及び前記光源を有する。前記制御装置は、前記光源ユニットを点灯する。前記筐体は、少なくとも前記光源ユニットを収容する。前記筐体は、前記光学レンズの前記出射面を前記筐体の外部に露出する窓を有する。
【０００９】
本発明の一態様に係る照明器具は、上記照明装置と、前記照明装置を支持する器具本体とを備える。
【発明の効果】
【００１０】
本発明の光学レンズ、照明装置及び照明器具は、光取り出し効率を向上するができるという効果がある。
【図面の簡単な説明】
【００１１】
【図１】図１は、本発明の一実施形態に係る非常用照明装置の光学レンズを含む要部の断面図である。
【図２】図２は、本発明の一実施形態に係る照明器具の斜視図である。
【図３】図３は、同上の照明器具の分解斜視図である。
【図４】図４は、同上の照明器具の常用照明装置を省略した分解斜視図である。
【図５】図５は、同上の照明器具の要部の断面斜視図である。
【図６】図６は、同上の非常用照明装置の下方から見た分解斜視図である。
【図７】図７は、同上の非常用照明装置の上から見た分解斜視図である。
【図８】図８は、同上の非常用照明装置の縦方向の断面図である。
【図９】図９は、同上の非常用照明装置における非常用光源ユニット及び制御装置の分解斜視図である。
【図１０】図１０は、同上の非常用照明装置の第１筐体を含む要部の平面図である。
【図１１】図１１は、同上の非常用照明装置における第１ガスケットの下方から見た斜視図である。
【図１２】図１２は、同上の非常用照明装置における第１ガスケットの上方から見た斜視図である。
【図１３】図１３Ａは、同上の非常用照明装置における第３ガスケットの上方から見た斜視図である。図１３Ｂは、同上の非常用照明装置における第３ガスケットの下方から見た斜視図である。図１３Ｃは、同上の非常用照明装置における第３ガスケットの断面図である。
【図１４】図１４は、同上の非常用照明装置の下方から見た斜視図である。
【図１５】図１５は、同上の非常用照明装置の正面図である。
【図１６】図１６は、同上の非常用照明装置の側面図である。
【図１７】図１７は、同上の非常用照明装置の側面図である。
【図１８】図１８は、同上の非常用照明装置の断面図である。
【図１９】図１９は、同上の照明器具の常用照明装置を取り外した状態の長手方向から見た斜視図である。
【図２０】図２０は、同上の照明器具の常用照明装置を取り外した状態の要部の断面図である。
【図２１】図２１Ａは、同上の非常用照明装置の光学レンズにおける第１変形例の要部の断面図である。図２１Ｂは、同上の非常用照明装置の光学レンズにおける第２変形例の要部の断面図である。図２１Ｃは、同上の非常用照明装置の光学レンズにおける第３変形例の要部の断面図である。
【発明を実施するための形態】
【００１２】
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１３】
本実施形態では、光学レンズ４４を備える照明装置が、非常用照明を行う非常用照明装置３であることを想定する。ただし、この限りではなく、光学レンズ４４を備える照明装置は、例えば常用照明を行う常用照明装置であってもよい。また、本実施形態の照明器具１は、光学レンズ４４を備える非常用照明装置３と、常用照明を行う常用照明装置２と、常用照明装置２及び非常用照明装置３を収容する器具本体１０とを備えていることを想定する。ただし、この限りではなく、照明器具１は、常用照明装置２を備えていなくてもよい。
【００１４】
本実施形態の照明器具１は、例えば、集合住宅の開放廊下の天井や、屋外の駐輪場の軒下、倉庫のトラックヤードの軒下、湿気の多い食品工場の天井などに直付けされる直付け形の照明器具であることを想定する。つまり、照明器具１は、一例として、湿度の高い空間や雨水が掛かる屋外又は屋側に設置されることを想定し、防水機能を有している。しかし、この限りではなく、照明器具１は、執務室などの屋内の天井に直付けされる天井直付け形の照明器具であってもよい。つまり、照明器具１は、防水機能を有していなくてもよい。また、照明器具１は、埋込形の照明器具又は壁に取り付けられる照明器具であってもよい。
【００１５】
本実施形態の光学レンズ４４は、図１に示すように、光源から放射された光が入射する入射面４４２と、入射面４４２から入射した光を出射する出射面４４３と、反射面４４４とを備える。ここで言う「光源」は、一例として非常用照明装置３の後述するＬＥＤモジュール４０に相当する。出射面４４３は、入射面４４２と対向し、入射面４４２から離れる方向に凸形状に形成されている。入射面４４２は、一例としてＬＥＤモジュール４０を覆う収容部４４７の内表面に相当する。ただし、収容部４４７は、光学レンズ４４の必須な構成要素ではなく、入射面４４２は、例えば基端面４４５（図１参照）と面一となる面であってもよい。
【００１６】
反射面４４４は、ＬＥＤモジュール４０から見て、入射面４４２と出射面４４３との間に配置されている。反射面４４４は、入射面４４２から入射した光のうち、出射面４４３の第１領域４Ａに向かって進む光を、第１領域４Ａとは異なる出射面４４３の第２領域４Ｂへ反射する。第２領域４Ｂは、ＬＥＤモジュール４０の光軸Ｘ１（図１参照）と交差する領域である。
【００１７】
本実施形態の出射面４４３は、例えば、光学レンズ４４の後述する外鍔部４４１よりも下方に突出する凸形状の面として規定される。ただし、外鍔部４４１は、光学レンズ４４の必須な構成要素ではなく、外鍔部４４１が設けられていない場合には、出射面４４３は、基端面４４５の周縁から下方に突出する凸形状の面であってもよい。
【００１８】
ここで言う出射面４４３の「第１領域４Ａ」とは、その領域から光が出射されると、その領域と対向して配置されている構成部品に光の進行が遮られて、照明空間への光の出射量が減少してしまう領域として規定される。本実施形態では、第１領域４Ａは、一例としてＬＥＤモジュール４０から見たときに筐体５の支持突起５０６の少なくとも一部と重なる領域とする。具体的には、第１領域４Ａは、ＬＥＤモジュール４０から見たときに第２ガスケット５４及び支持突起５０６と重なる領域とする。第２ガスケット５４は、非常用照明装置３の必須な構成要素ではないため、第２ガスケット５４が設けられていない場合には、第１領域４Ａは、支持突起５０６と重なる領域となる。
【００１９】
この構成によれば、光学レンズ４４が反射面４４４を備えているため、出射面４４３のうち第１領域４Ａから出射される光の量を減らすことができる。したがって、光学レンズ４４、非常用照明装置３及び照明器具１は、光取り出し効率を向上するができる。なお、ここで言う「光取り出し効率」は、例えば、（第２領域４Ｂからの）出射光量÷（入射面４４２からの）入射光量×１００％として規定される。
【００２０】
（２）詳細
（２．１）全体構成
以下、本実施形態の照明器具１について、図面を参照して詳しく説明する。本実施形態の照明器具１は、「（１）概要」の欄で説明したように、常用照明を行う常用照明装置２と、非常用照明を行う非常用照明装置３と、常用照明装置２及び非常用照明装置３を収容する器具本体１０とを備えている（図２〜図４参照）。さらに、照明器具１は、非常用照明装置３に給電する非常用電源ユニット９を備えている。なお、以下の説明では、特に断りのない限り、図２に示す向きにおいて、照明器具１の上下、左右及び前後の各方向を規定する。
【００２１】
（２．２）器具本体
器具本体１０は、長尺の矩形平板状の天板１１と、天板１１の長手方向（左右方向）に沿った２つの端縁のそれぞれから下向きに突出する一対の第１側板１２とを有している。器具本体１０は、さらに、天板１１の短手方向（前後方向）に沿った２つの端縁のそれぞれから下向きに突出する一対の第２側板１３と、各第１側板１２の下端から斜め下向きに突出する一対の反射板１４とを有している。すなわち、器具本体１０は、天板１１に対向する下面に開口部を有した矩形の箱状に形成されている。天板１１は、その左右方向におけるほぼ中央に、電線を通すための孔を有している。また、天板１１は、吊りボルトを通すための孔１１１を有している（図３参照）。なお、各第２側板１３の下端には、天板１１と平行して突出する取付片１３０がそれぞれ設けられている（図４参照）。各取付片１３０には、ねじ孔（雌ねじ）１３１が設けられている。
【００２２】
（２．３）常用照明装置
常用照明装置２は、図３及び図５に示すように、ＬＥＤモジュール２０と、ＬＥＤモジュール２０を支持する支持板２１と、ＬＥＤモジュール２０を支持した支持板２１を内部に収容するケース２２と、電源装置と、２つの固定具２３と、２つの取付具２４とを備える。
【００２３】
ＬＥＤモジュール２０は、左右方向に長い矩形板状に形成された基板（プリント配線板）２００と、基板２００の下面に実装された複数個のＬＥＤ（Light Emitting Diode）２０１とを有する。複数個のＬＥＤ２０１は、基板２００の長手方向に沿って、一定の間隔を空けて並ぶように実装されている（図５参照）。また、複数個のＬＥＤ２０１は、基板２００に形成される導体（銅はく）を介して電気的に直列接続される。なお、基板２００に形成される導体は、基板２００に実装されるコネクタと、コネクタに電気的に接続される電線とを介して、電源装置の出力端子と電気的に接続される。
【００２４】
支持板２１は、板金に曲げ加工を施すことで箱状に形成される（図５参照）。すなわち、支持板２１は、長尺かつ矩形板状に形成された底板２１０と、底板２１０の短手方向（前後方向）における両端から長手方向に沿って上向きに立ち上がる一対の側板とを有する。ＬＥＤモジュール２０は、底板２１０の下面に取り付けられる（図５参照）。
【００２５】
電源装置は、常用電源（例えば、商用の交流電源）から供給される交流電力を直流電力に変換し、変換した直流電力をＬＥＤモジュール２０に供給することでＬＥＤモジュール２０を点灯するように構成されている。電源装置は、支持板２１の底板２１０の上面に取り付けられる。ＬＥＤモジュール２０と電源装置は、底板２１０に設けられた挿通孔に挿通される電線によって電気的に接続される。
【００２６】
ケース２２は、ケース本体２２０と、２つのエンド部材２２１と、２つのガスケット（固定用シール）２２２とを有する（図３及び図５参照）。ケース本体２２０は、合成樹脂材料によって長手方向の両端が開口した長尺の筒状に形成され、その内部にＬＥＤモジュール２０及び支持板２１を収容するように構成されている（図５参照）。なお、支持板２１は、２つの固定具２３によってケース本体２２０に固定される。
【００２７】
エンド部材２２１は、図３及び図５に示すように、第１底壁２２１０、第２底壁２２１１、外周壁２２１２、内周壁２２１３並びにカバー部２２１４を有する。第１底壁２２１０は、ケース本体２２０の前後方向及び上下方向に平行な断面の形状と同じ形状に形成されている。第２底壁２２１１は、おおよそ半円板形状に形成されている。外周壁２２１２は、第１底壁２２１０の周縁から全周に渡って突出する筒状に形成される。内周壁２２１３は、外周壁２２１２に対向して第１底壁２２１０から突出する筒状に形成される。カバー部２２１４は、第２底壁２２１１の周縁の弧状の部分から第２底壁２２１１の厚み方向に突出し、かつ、その表面を外周壁２２１２の表面と同一の曲面（略半円筒面）とする形状に形成されている（図３参照）。また、カバー部２２１４の下面中央には、円筒形の凹部２２１５が設けられている（図３参照）。さらに、凹部２２１５の底壁には、円形の孔２２１６が形成されている（図５参照）。
【００２８】
ガスケット２２２は、シリコーン樹脂などの弾性を有する材料により、エンド部材２２１の外周壁２２１２及び内周壁２２１３に相似した形状（筒状）に形成されている。そして、ガスケット２２２は、エンド部材２２１の第１底壁２２１０と外周壁２２１２と内周壁２２１３に囲まれた空間に圧入される。さらに、ガスケット２２２は、外周壁２２１２及び内周壁２２１３の先端から露出する面に全周に渡る溝２２２０が設けられている。そして、この溝２２２０にケース本体２２０の長手方向における端部が圧入される（図５参照）。つまり、エンド部材２２１とケース本体２２０がガスケット２２２によって密封され、ケース本体２２０内への水（雨水など）の浸入が抑制される。
【００２９】
固定具２３は、固定片２３０と、一対の取付片２３１と、一対の側壁２３２とを有する（図５参照）。ただし、２つの固定具２３は全て同一の構造である。固定片２３０は、矩形平板状に形成されている。一対の取付片２３１は、矩形平板状であって、固定片２３０の前端及び後端から下向きに突出するように設けられる。一対の側壁２３２は、矩形平板状であって、固定片２３０の左端及び右端から下向きに突出するように設けられる。１つの固定具２３は支持板２１の上面における左端に取り付けられる。もう１つの固定具２３は支持板２１の上面における右端に取り付けられる。各固定具２３は、ケース本体２２０内に収容された状態において、固定片２３０とケース本体２２０とがねじ止めされることで支持板２１をケース本体２２０に固定している。
【００３０】
取付具２４は、図５に示すように、第１固定部２４０と、第２固定部２４１と、第１固定部２４０と第２固定部２４１を連結する連結部２４２とを有している。第１固定部２４０、第２固定部２４１及び連結部２４２は、金属板が加工されることで一体に形成されている。ただし、２つの取付具２４は全て同一の構造である。第２固定部２４１は、前後方向のほぼ中央に長孔状のねじ挿通孔２４３を有している（図５参照）。取付具２４の第１固定部２４０は、ケース２２の外から固定具２３の固定片２３０にねじ止めされる。
【００３１】
（２．４）非常用電源ユニット
非常用電源ユニット９は、図３及び図４に示すように、乾電池型の複数本の蓄電池と、これら複数本の蓄電池を収容する電池ケース９０と、電池ケース９０から引き出される電気ケーブルと、電池ケース９０を器具本体１０に固定する固定金具９１とを有する。電池ケース９０は、軸方向に垂直な断面の形状が長円形である筒状に形成されている。各蓄電池は、たとえば、乾電池型のニッケル水素電池である。複数本の蓄電池は、その軸方向を電池ケース９０の軸方向に揃えるようにして電池ケース９０内に収容されている。また、各蓄電池は、複数の端子板によって電気的に直列接続される。電気ケーブルは、複数本の蓄電池の直列回路の一端（正極）に電気的に接続された第１電線と、複数本の蓄電池の直列回路の他端（負極）に電気的に接続された第２電線とを有する。また、電気ケーブルの先端には、コネクタが設けられている。固定金具９１は、金属板によって箱状に形成されている。固定金具９１は、電池ケース９０を包み込むように保持した状態で器具本体１０の天板１１の下面に固定される（図３及び図４参照）。
【００３２】
（２．５）非常用照明装置
次に、本実施形態の非常用照明装置３について、図６〜図２０を参照して詳細に説明する。なお、以下の説明では、特に断りのない限り、図７に示す向きにおいて、非常用照明装置３の上下、左右及び前後の各方向を規定する。
【００３３】
非常用照明装置３は、図６及び図７に示すように、非常用光源ユニット４と、非常用光源ユニット４を支持する支持部材７と、非常用光源ユニット４を点灯する制御装置６と、非常用光源ユニット４、支持部材７及び制御装置６を収容する筐体５とを備えている。非常用照明装置３は、更に、第１ガスケット５３、第２ガスケット５４及び第３ガスケット５５を備えている。
【００３４】
非常用光源ユニット４は、図８及び図９に示すように、ＬＥＤモジュール４０と、ホルダ４１と、一対の端子板４２と、放熱シート４３と、光学レンズ４４とを有している。ＬＥＤモジュール４０は、矩形平板状の実装基板４００の中央に少なくとも１個のＬＥＤチップが実装されて構成されている。ＬＥＤチップは、例えば、青色光を放射する青色発光ダイオードであることが好ましい。また、ＬＥＤチップを含む実装基板４００の実装面（下面）は、ＬＥＤチップから放射される青色光を波長変換する蛍光物質が混入された封止樹脂４０１で封止されている（図９参照）。さらに、実装基板４００は、その対角の位置にある一対の角部の下面にそれぞれ電極を有している。一方の電極は、ＬＥＤチップのカソードと電気的に接続され、他方の電極は、ＬＥＤチップのアノードと電気的に接続されている。さらに、これら２つの電極は、一対の端子板４２のうちの対応する端子板４２と電気的に接続されている。
【００３５】
光学レンズ４４は、例えば、ガラス製であって、レンズ本体４４０と、レンズ本体４４０の周縁から外向きに突出する環状の外鍔部４４１とを有している（図９参照）。光学レンズ４４は、非球面形状の入射面４４２及び出射面４４３を有し（図８参照）、いわゆるバットウイング（batwing）状の配光特性を実現する広角配光レンズであることが好ましい。ただし、光学レンズ４４は、ガラス繊維が混入されることで耐熱性（難燃性）が向上された合成樹脂材料（例えば、ポリカーボネート樹脂など）で形成されてもよい。なお、光学レンズ４４については、次の「（２．６）光学レンズ」の欄で詳しく説明する。
【００３６】
放熱シート４３は、高熱伝導率、電気絶縁性及び難燃性を有するシリコーン樹脂製のシート材で構成されることが好ましい。放熱シート４３は、ＬＥＤモジュール４０の実装基板４００の上面に接触している（図８参照）。
【００３７】
ホルダ４１は、ポリカーボネート樹脂などの合成樹脂材料により、上下方向から見て、おおよそ菱形に形成されることが好ましい（図９参照）。ホルダ４１は、ＬＥＤモジュール４０の発光面（下面）に光学レンズ４４のレンズ本体４４０を重ねるようにして、ＬＥＤモジュール４０と光学レンズ４４を保持している。また、ホルダ４１は、端子板保持部４１０を有している。端子板保持部４１０は、上向きに伸びた角筒状に形成され、一対の端子板４２を内部に収容して保持している（図８及び図９参照）。
【００３８】
制御装置６は、図９に示すように、第１回路ブロック６０、第２回路ブロック６１及びケース６２を備えている。第１回路ブロック６０は、矩形板状の第１プリント配線板６００、複数種類の電子部品６０１、受け側コネクタ６４、入力端子台６０３、出力コネクタ６０２及び第１コネクタ６０４を有している。複数種類の電子部品６０１のうちでリード付きの電子部品６０１が第１プリント配線板６００の下面（部品面）に挿入実装されている。また、複数種類の電子部品６０１のうちで表面実装型の電子部品６０１が第１プリント配線板６００の上面（はんだ面）に表面実装されている（図８参照）。ただし、第１プリント配線板６００の部品面には、受け側コネクタ６４、入力端子台６０３、出力コネクタ６０２及び第１コネクタ６０４も挿入実装されている。
【００３９】
出力コネクタ６０２は、一対のコンタクト６０２０を有している（図９参照）。出力コネクタ６０２の各コンタクト６０２０は、非常用光源ユニット４の一対の端子板４２のうちの対応する端子板４２と、中継用の電線を介して電気的に接続される。
【００４０】
受け側コネクタ６４は、第１コンタクト受け６４１と、第２コンタクト受け６４２と、ベース６４０とを有している（図９参照）。ベース６４０は、電気絶縁性を有した合成樹脂材料によって矩形の板状に形成されている。第１コンタクト受け６４１及び第２コンタクト受け６４２は棒状に形成されて、ベース６４０を厚み方向に貫通した状態でベース６４０に支持されている。受け側コネクタ６４は、中継用の電気ケーブルを介して、非常用電源ユニット９の電気ケーブルと電気的に接続される。
【００４１】
第１回路ブロック６０は、第１プリント配線板６００に形成されているプリント配線と、第１プリント配線板６００の部品面及びはんだ面に実装されている複数種類の電子部品６０１とで構成されたプリント回路を有している（図８及び図９参照）。第１回路ブロック６０のプリント回路は、例えば、直流電源回路、充電回路、点灯回路、停電検出回路、制御回路を含んでいる。直流電源回路は、例えば、リンギングチョークコンバータなどの自励型のスイッチング電源回路で構成され、常用電源から入力端子台６０３に入力される交流電圧を直流電圧に変換するように構成されている。すなわち、充電回路は、非常用電源ユニット９の蓄電池を充電するための回路である。充電回路は、常用電源から給電されているときに受け側コネクタ６４を通して一定の充電電流を非常用電源ユニット９へ出力するように構成されている。点灯回路は、非常用電源ユニット９から受け側コネクタ６４に入力される直流電流を定電流化し、定電流化した直流電流を出力コネクタ６０２より非常用光源ユニット４に供給するように構成されている。停電検出回路は、直流電源回路の出力電圧に基づいて常用電源の停電を検出して制御回路に通知するように構成されている。制御回路は、停電検出回路が常用電源の停電を検出していないときに充電回路を動作させ、かつ、点灯回路を停止させるように構成されている。また、制御回路は、停電検出回路が常用電源の停電を検出しているときに充電回路を停止させ、かつ、点灯回路を動作させるように構成されている。
【００４２】
第２回路ブロック６１は、矩形板状の第２プリント配線板６１０、第１押釦スイッチ６１１、第２押釦スイッチ６１２、表示素子６１３、受光素子６１４並びに第２コネクタ６１５を有している（図９参照）。第２コネクタ６１５は、第２プリント配線板６１０の下面における長手方向の一端（前端）に実装されている。第２押釦スイッチ６１２は、第２プリント配線板６１０の下面における第２コネクタ６１５の後方に実装されている。第１押釦スイッチ６１１は、第２プリント配線板６１０の下面における長手方向の他端（後端）に実装されている。
【００４３】
表示素子６１３は、例えば、緑色光を放射するＬＥＤチップを有している。表示素子６１３は、第２プリント配線板６１０の下面における第１押釦スイッチ６１１の前方に実装されている。受光素子６１４は、例えば赤外線を通信媒体とする制御信号を外部から受信し、受信した制御信号から送信フレームを復調するように構成されている。この制御信号は、定期的な点検作業を専門業務としている点検作業者に操作されるリモートコントローラから送信される。なお、ここで言う「制御信号」は、電磁波を媒体とした信号であれば、赤外線に限定されない。制御信号は、例えば赤外線以外に電波を媒体とした信号であってもよい。この場合、受光素子６１４の代わりに無線通信アンテナが設けられていてもよい。受光素子６１４は、第２プリント配線板６１０の下面における表示素子６１３と第２押釦スイッチ６１２の間に実装されている。要するに、第１及び第２押釦スイッチ６１１，６１２、表示素子６１３及び受光素子６１４は、前後方向に沿って、第１押釦スイッチ６１１、表示素子６１３、受光素子６１４、第２押釦スイッチ６１２の順に配置されている（図１８参照）。
【００４４】
第２コネクタ６１５は、例えば、ケーブルによって第１回路ブロック６０の第１コネクタ６０４と電気的に接続される。第１回路ブロック６０の制御回路は、ケーブルを通して第１押釦スイッチ６１１及び第２押釦スイッチ６１２の各々の操作状態（オン及びオフ）を監視するように構成されている。また、制御回路は、受光素子６１４で復調される制御信号の送信フレームを、ケーブルを通して受け取るように構成されている。さらに、制御回路は、第１回路ブロック６０の充電回路が動作している場合、ケーブルを通して表示素子６１３に電流を流すことで表示素子６１３を発光させるように構成されている。
【００４５】
制御回路は、前方の第２押釦スイッチ６１２がオンされた場合、又は受光素子６１４から送信フレームを受け取った場合に自己点検動作（第１の点検動作）を行うように構成されている。自己点検動作とは、充電回路を停止させ、かつ、点灯回路を所定の時間（例えば３０分又は６０分）動作させた後、再度、点灯回路を停止させ、かつ、充電回路を動作させることである。点検作業者が定期的な点検作業を行う場合、第２押釦スイッチ６１２又はリモートコントローラを通じて、この自己点検動作（第１の点検動作）を行わせる。
【００４６】
さらに、制御回路は、後方の第１押釦スイッチ６１１がオンされた場合、自己点検動作（第１の点検動作）とは異なる別の点検動作（第２の点検動作）を行うように構成されている。この第２の点検動作とは、第１押釦スイッチ６１１がオン状態の間、充電回路を停止させ、かつ、点灯回路を動作させる。第１押釦スイッチ６１１がオフ状態になると、点灯回路を停止させ、かつ、充電回路を動作させる。ただし、制御回路は、第２の点検動作を行うように指示する送信フレームを受光素子６１４から受け取った場合も第２の点検動作を行うように構成されることが好ましい。点検作業を専門業務としていない者が点検作業を行う場合、第１押釦スイッチ６１１を通じて、この点検動作（第２の点検動作）を行わせる。
【００４７】
ここで、表示素子６１３は、少なくとも第２の点検動作に関する状態を表示することが望ましい。例えば、表示素子６１３は、充電回路が動作中には緑色光を発し、第２の点検動作中、すなわち、充電回路が停止し、点灯回路が動作中には消灯すように構成されてもてよい。ただし、表示素子６１３は、第２の点検動作だけでなく、第１の点検動作に関しても、点灯回路が動作中には消灯するように構成されることが望ましい。
【００４８】
ケース６２は、第１ケース６２０と第２ケース６２１を有している。第１ケース６２０は、底部６２００と、側壁部６２０１とを有している。底部６２００は、おおよそ矩形の箱形に形成されている。底部６２００は、第１回路ブロック６０の第１プリント配線板６００のはんだ面を厚み方向（上下方向）から支持するように構成されている。側壁部６２０１は、板状に形成されている。側壁部６２０１は、ヒンジを介して底部６２００に連結されている。ゆえに、側壁部６２０１は、ヒンジを軸にして底部６２００に対して回転可能となるように構成されている。また、側壁部６２０１は、第２回路ブロック６１の第２プリント配線板６１０の長手方向に沿った端部（左端部）を厚み方向から挟んで支持するように構成されている。
【００４９】
第２ケース６２１は、上面及び左側面が開放された箱状に形成されている。第２ケース６２１は、第１ケース６２０と結合される。第２ケース６２１の上面は、第１ケース６２０の底部６２００によって閉じられる。また、第２ケース６２１の左側面は、第１ケース６２０の側壁部６２０１によって閉じられる（図８参照）。
【００５０】
第２ケース６２１は、下面の左端から下方へ突出する突台部６２１０を有している（図９参照）。突台部６２１０は、おおよそ角錐台状に形成されている。突台部６２１０は、２つの伝達部材（第１伝達部材６２１４及び第２伝達部材６２１５）を有している。第１伝達部材６２１４は、突台部６２１０の下面における後端に設けられている。また、第２伝達部材６２１５は、突台部６２１０の下面における前端に設けられている。第１伝達部材６２１４及び第２伝達部材６２１５は、突台部６２１０の下面に対して上下方向に移動可能となるように構成されている。つまり、第１伝達部材６２１４は、第３ガスケット５５の第１操作部５５１から受けた上向きに作用する力を第１押釦スイッチ６１１に伝達するための部材である。第１伝達部材６２１４が第１押釦スイッチ６１１の押釦を押すことにより、第１押釦スイッチ６１１がオンする。また、第２伝達部材６２１５は、第３ガスケット５５の第２操作部５５２から受けた上向きに作用する力を第２押釦スイッチ６１２に伝達するための部材である。第２伝達部材６２１５が第２押釦スイッチ６１２の押釦を押すことにより、第２押釦スイッチ６１２がオンする。さらに、突台部６２１０は、その下面における第１伝達部材６２１４と第２伝達部材６２１５の間に、２つの円形の窓６２１６、６２１７を有している。前方の窓６２１６は、上下方向において第２回路ブロック６１の受光素子６１４と対向している。後方の窓６２１７は、上下方向において第２回路ブロック６１の表示素子６１３と対向している。つまり、リモートコントローラから送信される制御信号は、前方の窓６２１６を通して受光素子６１４に到達する。また、表示素子６１３が発する光（緑色光）は、後方の窓６２１７を通してケース６２の外に放射される。
【００５１】
また、第２ケース６２１は、右端に３つの開口部６２１１、６２１２、６２１３を有している。これら３つの開口部６２１１、６２１２、６２１３は、前後方向に沿って一列に並んでいる（図９参照）。前端の開口部６２１１は、第１回路ブロック６０の受け側コネクタ６４と対向している。後端の開口部６２１３は、入力端子台６０３が挿通される。中央の開口部６２１２は、出力コネクタ６０２と対向している（図９参照）。
【００５２】
支持部材７は、アルミニウム及びアルミニウム合金のように一般的に熱伝導率が高いとされる材料によって、おおよそ矩形平板状に形成されている（図９参照）。ただし、支持部材７は、アルミニウム及びアルミニウム合金以外の材料で形成されても構わない。支持部材７の左端に挿通孔７０が貫通している。挿通孔７０は、前後方向を長手方向とする長円形に形成されている。また、支持部材７の右端における前後方向の中央に、矩形の挿通溝７１が設けられている。さらに、３つの嵌合溝７２が、支持部材７の前端と支持部材７の後端に設けられている。支持部材７の後端の嵌合溝７２は、支持部材７の左右方向のほぼ中央に設けられている。一方、支持部材７の前端の２つの嵌合溝７２は、支持部材７の左右方向の中央に対して左右両側に離して設けられている。支持部材７の中央には、３つの嵌合孔７３が貫通している。支持部材７の前端の中央付近と、支持部材７の右端の後端付近とに、それぞれねじ孔７４が１つずつ設けられている。支持部材７の前後方向の中央における挿通孔７０の右側の位置と、支持部材７の右端における前後両端の位置とに、それぞれねじ挿通孔７５が１つずつ設けられている。
【００５３】
非常用光源ユニット４は、支持部材７に設けられている２つのねじ孔７４に対して、２本の取付ねじ４５でホルダ４１がねじ止めされることによって支持部材７の下面に取り付けられている（図６及び図９参照）。ホルダ４１の端子板保持部４１０は、支持部材７の挿通溝７１に挿通されて支持部材７の上面側に突出する（図７参照）。そして、一対の端子板４２のうちの対応する端子板４２と、出力コネクタ６０２の一対のコンタクト６０２０のうちの対応するコンタクト６０２０とが中継用の電線を介して電気的に接続される。さらに、ＬＥＤモジュール４０は、放熱シート４３を介して支持部材７と熱的に結合される。
【００５４】
筐体５は、図７に示すように、第１筐体５１と第２筐体５２を有している。第１筐体５１及び第２筐体５２は、それぞれアルミダイカストで形成されている。
【００５５】
第１筐体５１は、半円筒面形状の外周壁５１０と、半円形状の第１外壁５１１と、半円形状の第２外壁５１２とを有する半円筒形状に形成されている（図６及び図７参照）。また、第１筐体５１は、一対の第１内壁５１３と、一対の第２内壁５１４とを有している（図７参照）。一対の第２内壁５１４のうちの左側の第２内壁５１４は、第１外壁５１１と対向して、外周壁５１０の内側面（上面）から上向きに立ち上がるように形成されている。一対の第２内壁５１４のうちの右側の第２内壁５１４は、第２外壁５１２の上面から上向きに立ち上がるように形成されている。一対の第１内壁５１３は、前後方向に対向して、外周壁５１０の内側面から上向きに立ち上がるように形成されている。一対の第１内壁５１３のうちで前方に位置する第１内壁５１３は、一対の第２内壁５１４の前端及び第２外壁５１２の内側面とそれぞれ繋がっている。また、一対の第１内壁５１３のうちで後方に位置する第１内壁５１３は、一対の第２内壁５１４の後端及び第２外壁５１２の内側面とそれぞれ繋がっている。
【００５６】
外周壁５１０の下面における前後方向の中央かつ右寄りの位置に、凹部５００が形成されている。凹部５００は、下から見て、長軸方向を外周壁５１０の軸方向（左右方向）に一致させた楕円形状に形成されている（図６参照）。そのため、凹部５００の長軸方向（左右方向）の両端が、その短軸方向（前後方向）の両端よりも下に位置している。さらに、凹部５００の中央（底）に、光学レンズ４４のレンズ本体４４０が挿通される窓５０１が貫通している。窓５０１は、下から見て、長軸方向を凹部５００の短軸方向（前後方向）に一致させた楕円形状に形成されている（図６参照）。なお、外周壁５１０の下面における窓５０１の周囲に、４つの円柱状の突起５０５が設けられている（図７では１つのみ図示）。また、外周壁５１０における凹部５００の左隣の位置に、２つの孔が前後方向に並ぶように貫通している。後方の孔は、丸孔の第１操作孔５０２と、第１操作孔５０２に繋がった長孔の表示孔５０３とを有している。前方の孔は、第１操作孔５０２よりも径の小さい丸孔の第２操作孔５０４である。また、第１筐体５１は、窓５０１を囲むように外周壁５１０の上面から突出する３つの第１ボス５１５を有している（図７では２つのみ図示）。これら３つの第１ボス５１５は、それぞれ円錐台形状に形成され、上端が開放されたねじ穴（めねじ）を有している。さらに、第１筐体５１は、第１操作孔５０２、表示孔５０３及び第２操作孔５０４を囲むように外周壁５１０の上面から突出する筒状の突壁５１８を有している（図７参照）。
【００５７】
また、第１筐体５１は、４つのリブ５１７、１つの第２ボス５１６及び一対の突起５１９を有している。４つのリブ５１７は、各第１内壁５１３に沿って外周壁５１０の内側面から上向きに立ち上がる、矩形の板状に形成されている（図７及び図１０参照）。第２ボス５１６は、上端が開放されたねじ穴（めねじ）を有する円錐台形状に形成されている。また、第２ボス５１６は、第１外壁５１１と左側の第２内壁５１４の間における外周壁５１０の内側面から上向きに立ち上がるように形成されている。一対の突起５１９は、第２外壁５１２の内側（左側）における前後両端において、上向きに突出する円錐台形状に形成されている（図７参照）。
【００５８】
また、第１筐体５１は、光学レンズ４４の外鍔部４４１を支持するための支持突起５０６を有している（図１及び図７参照）。支持突起５０６は、窓５０１の周縁に沿って外鍔部４４１に向かって（上方向に）突出している。なお、本実施形態では、第１筐体５１内への浸水を防ぐために第２ガスケット５４が、外鍔部４４１と支持突起５０６との間に配置されている。要するに、支持突起５０６は、第２ガスケット５４を間に介して外鍔部４４１を支持する。なお、第２ガスケット５４が設けられていない場合には、支持突起５０６の先端面が直接外鍔部４４１の下面に接触していてもよい。
【００５９】
第２筐体５２は、図６及び図７に示すようにおおよそ矩形の箱状に形成されている。第２筐体５２は、底壁５２０、一対の第１側壁５２１及び一対の第２側壁５２２を有している。底壁５２０は、矩形平板状に形成されている。一対の第１側壁５２１は、底壁５２０の長手方向に沿った両端（前端及び後端）から下向きに突出している。一対の第２側壁５２２は、底壁５２０の短手方向に沿った両端（左端及び右端）から下向きに突出している。
【００６０】
底壁５２０の下面における中央から、円筒形状の突部５２００が下向きに突出している（図５及び図６参照）。突部５２００の内部には円筒形状の孔５２０１が設けられている。この孔５２０１は、筐体５の内部と筐体５の外部とを繋ぐように、底壁５２０及び突部５２００を上下方向に貫通している（図５参照）。ただし、この孔５２０１は、たとえば、一般に穴付きゴム栓と呼ばれる部材（以下、ゴム栓５７という）で閉塞される（図５参照）。ゴム栓５７は、シリコーンゴムのような弾性材料によって円柱状に形成されている。また、ゴム栓５７は、その途中に少なくとも１つの壁を有する３つの穴５７０を備えている（図７参照）。つまり、ゴム栓５７の各穴５７０は、針などで壁が突き破られることによって、筐体５の内部と筐体５の外部とを繋ぐように構成されている。
【００６１】
また、底壁５２０は、３つのボス５２０２と、４つのリブ５２０４とを有している。３つのボス５２０２は、底壁５２０の内側面（下面）から下向きに突出する円柱形状に形成されている（図６参照）。各ボス５２０２は、底壁５２０の上面に開口するねじ孔５２０３を有している（図５及び図７参照）。４つのリブ５２０４のうちの２つのリブ５２０４は、底壁５２０の下面から前側の第１側壁５２１に沿って下向きに突出する角柱状に形成されている（図６参照）。４つのリブ５２０４のうちの残り２つのリブ５２０４は、底壁５２０の下面から後側の第１側壁５２１に沿って下向きに突出する角柱状に形成されている。
【００６２】
一対の第２側壁５２２のうちの左側の第２側壁５２２は、その外側面（左側面）における前後方向中央の下端から左向きに突出する突部５２２０を有している（図５及び図６参照）。突部５２２０は、上下方向に貫通する穴５２２１を有している（図５参照）。
【００６３】
また、第２筐体５２は、固定部５２３と突台部５２４を有している。固定部５２３は、一対の第２側壁５２２のうちの右側の第２側壁５２２の下端から右向きに突出する矩形の板状に形成されている（図６参照）。固定部５２３の前後方向の中央に、円筒形の穴５２３０が上下方向に貫通している（図５及び図６参照）。また、固定部５２３の下面における穴５２３０の前後両側に、おおよそ波形の凹み５２３１がそれぞれ設けられている。突台部５２４は、固定部５２３の先端（右端）から右向きに突出する矩形の箱状に形成されている（図６参照）。突台部５２４の先端（右端）における前後方向の両端に、それぞれ円筒形のボス５２４０が設けられている。各ボス５２４０は、上面が開口したねじ孔５２４１を有している（図７参照）。
【００６４】
第１ガスケット５３は、図６及び図７に示すように、シリコーンゴムなどの弾性材料により、全体として矩形の枠状に形成されている。第１ガスケット５３は、図１１及び図１２に示すように、枠部５３０、固定部５３１、一対の電線保持部５３２及び支持部５３３を有している。枠部５３０は、４つの角が面取りされた矩形の枠状に形成されている。枠部５３０の下面に、その全周に渡って上向きに凹んだ凹所５３００が設けられている。固定部５３１は、枠部５３０の長手方向の一端（右端）における内側面から内向き（左向き）に突出する矩形の板状に形成されている。固定部５３１の長手方向（前後方向）の中央から内向き（左向き）に、半円形状の突部５３１０が突出している。そして、突部５３１０を含む固定部５３１の長手方向の中央部分に、円筒形のねじ挿通孔５３１１が上下方向に貫通している。さらに、固定部５３１の下面におけるねじ挿通孔５３１１の前後両側に、円筒形の嵌合孔５３１２がそれぞれ設けられている（図１１参照）。支持部５３３は、枠部５３０の右端の部分（上下方向から見て固定部５３１と重なる部分）を除いて、枠部５３０の下面における凹所５３００の内側の縁から下向きに突出している。一対の電線保持部５３２は、固定部５３１の上面におけるねじ挿通孔５３１１の前後両側から上向きに突出している。各電線保持部５３２は、底面の形状がおおよそ波形である柱状に形成されている。また、各電線保持部５３２は、軸方向（左右方向）に貫通する一対の穴５３２０と、各電線保持部５３２の周面から突出する３本のリブ５３２１とを有している（図１２参照）。
【００６５】
第２ガスケット５４は、シリコーンゴムなどの弾性材料により、中央に楕円形状の開口部５４０を有する枠状に形成されている（図６参照）。ただし、第２ガスケット５４は、光を透過しないように黒色に着色されることが好ましい。また、第２ガスケット５４の上面における開口部５４０の縁から、環状の周壁５４１が全周に渡って上向きに突出している（図７参照）。さらに、周壁５４１の上面には、上下方向に平行な断面の形状が三角形状である２つのリブが、径方向に沿って並ぶにように突出している。また、第２ガスケット５４は、４つの嵌合孔５４２と、２つの引掛片５４３とを有している。４つの嵌合孔５４２は、開口部５４０を囲むように配置されて第２ガスケット５４を厚み方向（上下方向）に貫通している。また、２つの引掛片５４３は、鉤形に形成され、かつ、第２ガスケット５４の右後端及び左前端から上向きに突出している。
【００６６】
第３ガスケット５５は、シリコーンゴムのように光を透過する弾性材料で形成されている。第３ガスケット５５は、図１３Ａ及び図１３Ｂに示すように、本体５５０、第１操作部５５１、第２操作部５５２及び透過部５５３を有している。本体５５０は、おおよそ楕円筒形状に形成されている。ただし、本体５５０の下面は、第１筐体５１の外周壁５１０の表面（下面）と曲率半径の等しい曲面に形成されている。また、本体５５０の外周面には、上下方向に平行な断面の形状が三角形状である３つのリブ５５９が、上下方向に沿って等間隔に並ぶにように突出している。さらに、本体５５０は、第１貫通孔５５４、第２貫通孔５５５及び表示溝５５６を有している。第１貫通孔５５４は、本体５５０の長手方向の一端において本体５５０を上下方向に貫通する円筒形状に形成されている。第２貫通孔５５５は、本体５５０の長手方向の他端において本体５５０を上下方向に貫通する円筒形状に形成されている。表示溝５５６は、本体５５０の第１貫通孔５５４と第２貫通孔５５５との間において下面が開放された角筒状に形成されている。ただし、表示溝５５６の上下方向における下側の部分が第１貫通孔５５４と繋がっている（図１３Ｂ参照）。透過部５５３は、本体５５０における表示溝５５６の底壁（上壁）で構成されている（図１３Ａ及び図１３Ｃ参照）。
【００６７】
第１操作部５５１は、円柱状に形成されている。第１操作部５５１は、その軸方向を上下方向に揃えるようにして本体５５０の第１貫通孔５５４内に収容されている。第２操作部５５２は、第１操作部５５１よりも短い円柱状に形成されている。第２操作部５５２は、その軸方向を上下方向に揃えるようにして本体５５０の第２貫通孔５５５内に収容されている。また、第３ガスケット５５は、第１貫通孔５５４をシールする第１シール部５５７と、第２貫通孔５５５をシールする第２シール部５５８とを有している（図１３Ｃ参照）。第１シール部５５７及び第２シール部５５８は、それぞれ２つの底面が開口した中空の円錐台状に形成されている。第１シール部５５７の大径の底面の周縁が本体５５０の第１貫通孔５５４の内周面と結合されている。第１シール部５５７の小径の底面の周縁が第１操作部５５１の周面と結合されている。第２シール部５５８の大径の底面の周縁が本体５５０の第２貫通孔５５５の内周面と結合されている。第２シール部５５８の小径の底面の周縁が第２操作部５５２の周面と結合されている。第１操作部５５１の先端（下端）は第１貫通孔５５４から本体５５０の下面よりも下に突出している（図１３Ｂ参照）。一方、第２操作部５５２の先端（下端）は第２貫通孔５５５内に収まって本体５５０の下面から下に突出していない（図１３Ｂ参照）。ここで、第１シール部５５７及び第２シール部５５８は、弾性材料（シリコーンゴム）で形成されているために弾性変形可能である。そのため、第１操作部５５１及び第２操作部５５２は、上向きの力が加えられると上向きに移動し、その後、上向きの力が加えられなくなると第１シール部５５７及び第２シール部５５８の弾性力によって下向きに移動して初期の状態（図１３Ｃに示す状態）に戻る。
【００６８】
非常用照明装置３は、更に、固定部材５６を備えている（図６及び図７参照）。固定部材５６は、ステンレス鋼板のように錆びにくい金属板で形成されている。固定部材５６は、前後方向を長手方向とする５角形状の固定片５６０と、固定片５６０の長手方向の両端の各辺から上向きに突出する一対の脚片５６１と、各脚片５６１の上端から固定片５６０と対向するように突出する一対の取付片５６２とを有している。固定片５６０のほぼ中央に、ナットを保持するための固定孔５６３が設けられている。各取付片５６２の一端（右端）に、それぞれねじ挿通孔５６４が貫通している（図７参照）。
【００６９】
（２．６）光学レンズ
以下、非常用光源ユニット４の光学レンズ４４について、図１を参照しながら詳しく説明する。光学レンズ４４は、左右方向に平坦な基端面４４５と、基端面４４５と対向する出射面４４３と、収容部４４７とを有している。基端面４４５は、互いに面一であるレンズ本体４４０の上面と外鍔部４４１の上面とから構成されている。基端面４４５の外周縁（すなわち外鍔部４４１の外周縁）は、上下方向に沿って見たときに、略円形状に形成されている。
【００７０】
収容部４４７は、基端面４４５の左右前後方向における中央において、出射面４４３に向かって窪んでいる。収容部４４７は、その内表面でＬＥＤモジュール４０のＬＥＤチップの下面を覆うように当該ＬＥＤチップを収容する。すなわち、本実施形態では、収容部４４７は、ＬＥＤチップと対向するように配置されており、収容部４４７の内表面が入射面４４２となる。つまり、基端面４４５は、ＬＥＤモジュール４０の光軸Ｘ１（図１の点線を参照）に沿って見たときに、入射面４４２と隣り合っている。ここで言う「光軸Ｘ１」は、実体を伴うものでななく、ＬＥＤチップの中心から真っ直ぐ下垂し、収容部４４７の底部を通る想像線を光軸Ｘ１として規定している。本実施形態では、光軸Ｘ１は、上下方向と平行である。
【００７１】
収容部４４７は、上から見たときに円形状の開口を有している。収容部４４７は、その内径が出射面４４３に近づくほど小さくなるように形成されている。ただし、収容部４４７は、その開口の縁から内部へ少し下った位置に基端面４４５と平行な平坦面４４７Ｂを有している。平坦面４４７Ｂは、上から見たときに円環状に形成されている。平坦面４４７Ｂは、ＬＥＤモジュール４０を支持するホルダ４１の一部の領域と対向していて、平坦面４４７Ｂと当該領域とによって凹所（以下「逃がし溝４４７Ａ」という）が形成されている。逃がし溝４４７Ａは、ＬＥＤチップを実装基板４００に実装するためのはんだ、ＬＥＤチップのアノード及びカソードに接続される電極、及びＬＥＤモジュール４０を支持するホルダ４１等を逃がすために形成されている。
【００７２】
出射面４４３は、入射面４４２から入射した光を出射する面である。出射面４４３は、入射面４４２と対向し、基端面４４５から離れる方向（下方向）に凸形状に形成されている。出射面４４３は、レンズ本体４４０の側面及び下面に相当する。本実施形態では、出射面４４３は、外鍔部４４１の下面よりも下方に突出する凸形状の面として規定される。出射面４４３は、第１領域４Ａと、第１領域４Ａ以外の領域である第２領域４Ｂとから構成されている。第１領域４Ａは、一例として、ＬＥＤモジュール４０から見たときに第２ガスケット５４及び支持突起５０６と重なる領域である。つまり、第１領域４Ａは、その領域から光が出射されると、その領域と対向して配置されている構成部品に光の進行が遮られて、照明空間への光の出射量が減少してしまう領域として規定される。そのため、第２領域４Ｂに向かって進行する光の量を増やすことが、照明空間への光の出射量を増やすことに繋がる。また、第２領域４Ｂは、ＬＥＤモジュール４０の光軸Ｘ１と交差する領域である。
【００７３】
光学レンズ４４は、反射面４４４を更に有している。反射面４４４は、ＬＥＤモジュール４０から反射面４４４を見たときに、入射面４４２と出射面４４３との間に配置されている。反射面４４４は、入射面４４２から入射した光のうち、出射面４４３の第１領域４Ａに向かって進む光を出射面４４３の第２領域４Ｂへ反射する。本実施形態の光学レンズ４４は、基端面４４５に凹部４４６を有していて、反射面４４４は、凹部４４６の第１内側面４４６Ａとして提供されている。
【００７４】
凹部４４６は、出射面４４３に向かって窪んでいる。凹部４４６は、光軸Ｘ１に沿って見たときに、入射面４４２の周囲、すなわち収容部４４７を囲むように環状に形成されている。凹部４４６は、反射面４４４である第１内側面４４６Ａ以外に、第１内側面４４６Ａと対向する第２内側面４４６Ｂと、底面４４６Ｃとを有している。第１内側面４４６Ａは、ＬＥＤモジュール４０から見て第２内側面４４６Ｂよりも手前に配置されている。図１に示すように、光学レンズ４４を前後方向に沿って見たときに、凹部４４６は、略台形状の断面を有している。ただし、底面４４６Ｃは、凹部４４６の必須な構成要素ではなく、第１内側面４４６Ａの下端と第２内側面４４６Ｂの下端とが直接繋がっていてもよい。つまり、凹部４４６は、略三角形状の断面を有していてもよい。
【００７５】
第２内側面４４６Ｂは、基端面４４５に対して垂直に下方へ延びている。一方、反射面４４４である第１内側面４４６Ａは、基端面４４５から出射面４４３に向かうほど第２内側面４４６Ｂに近づく方向に傾斜している。特に本実施形態では、第１内側面４４６Ａは、基端面４４５に向かって膨らむような曲面である。
【００７６】
この光学レンズ４４においては、ＬＥＤモジュール４０から放射された光の一部が出射面４４３の第１領域４Ａに向かって進行する場合（図１中の２点鎖線で示す光路Ａ１参照）、第１領域４Ａより先に反射面４４４（第１内側面４４６Ａ）に到達する。凹部４４６が中空であることから（図１の空気層４４８参照）、反射面４４４に対する光の入射角が臨界角以上であれば、空気の屈折率よりも屈折率の高いガラス製のレンズ本体４４０内を進行する光は、反射面４４４で全反射される。言い換えると、少なくとも反射面４４４に対する入射角が臨界角以上である光については、光軸Ｘ１と交差する第２領域４Ｂに向けて反射させることができる。
【００７７】
特に本実施形態のように、はんだ、ホルダ４１等を逃がすための逃がし溝４４７Ａが設けられている場合、基端面４４５と平行な平坦面４４７Ｂから入射した光は、平坦面４４７Ｂで屈折し、第１領域４Ａに向かって進行する光の割合が増加する傾向にある。しかし、光学レンズ４４は反射面４４４を有しているため、たとえ逃がし溝４４７Ａが設けられていても、上記割合を減らすことができる。
【００７８】
このように本実施形態の光学レンズ４４は、その側面に対向して配置された第２ガスケット５４及び支持突起５０６に向かって進行する光を反射させて、出射面４４３の望ましい第２領域４Ｂに向かって進行する光を増やすことができる。つまり、光取り出し効率を向上するができる。
【００７９】
なお、本実施形態では、光学レンズ４４の側面と支持突起５０６との間に空隙４５（図１参照）が設けられているため、この側面に対する光の入射角が臨界角以上であれば、光は当該側面でも全反射される。この点を考慮すれば、基端面４４５に対する第１内側面４４６Ａの傾斜角度は、基端面４４５に対する光学レンズ４４の側面の傾斜角度と異ならせることで、より多くの光が全反射されることが期待できる。
【００８０】
また、凹部４４６の深さ（基端面４４５から底面４４６Ｃまでの寸法）については、例えば、底面４４６ＣがＬＥＤチップの下面中央と支持突起５０６のエッジ部分５０６Ａとを結ぶ直線よりもやや下に位置する程度に設定されていることが望ましい。
【００８１】
（３）非常用照明装置の組立手順
次に、非常用照明装置３の組立手順を説明する。ただし、非常用光源ユニット４及び制御装置６の組立作業並びに非常用光源ユニット４を支持部材７に取り付ける作業についての説明は省略する。また、以下に説明する組立手順（Ａ）〜（Ｈ）は一例に過ぎず、いくつかの組立作業の順番が入れ替わっても構わない。
【００８２】
（Ａ）第１筐体５１への第２ガスケット５４の取付
まず、組立作業を行う作業者は、第２ガスケット５４を第１筐体５１に取り付ける。具体的には、作業者は、第２ガスケット５４の４つの嵌合孔５４２に、第１筐体５１の外周壁５１０の下面に設けられている４つの突起５０５を１つずつ嵌合させる。
【００８３】
（Ｂ）第１筐体５１への第３ガスケット５５の取付
作業者は、突壁５１８の内側に第３ガスケット５５を押し込むようにして第１筐体５１に第３ガスケット５５を取り付ける（図８参照）。突壁５１８の内側において、本体５５０に設けられている３つのリブ５５９が突壁５１８に押し潰されるようにして変形する。その結果、突壁５１８の内側が第３ガスケット５５によってシールされるので、外周壁５１０に設けられている第１操作孔５０２、第２操作孔５０４及び表示孔５０３から第１筐体５１内への浸水が抑制される。なお、第３ガスケット５５の第１操作部５５１の先端（下端）は、第１筐体５１の第１操作孔５０２を通して外周壁５１０の表面（下面）から突出する（図１４参照）。
【００８４】
（Ｃ）第１筐体５１への非常用光源ユニット４の取付
作業者は、非常用光源ユニット４のレンズ本体４４０を第２ガスケット５４の開口部５４０から第１筐体５１の窓５０１に挿入し、かつ、第１筐体５１の複数のリブ５１７を支持部材７の複数の嵌合溝７２のうちの対応する嵌合溝７２に嵌合させる（図１０参照）。そして、作業者は、支持部材７の３つのねじ挿通孔７５のそれぞれにねじを挿入し、各ねじを第１筐体５１の３つの第１ボス５１５のねじ穴のうちの対応するねじ穴にねじ込むことにより、支持部材７を第１筐体５１にねじ止めする。このとき、第２ガスケット５４の周壁５４１の上面に設けられている２つのリブが、光学レンズ４４の外鍔部４４１と外周壁５１０における窓５０１の周縁部分とに押し潰されるようにして変形する。その結果、第１筐体５１の窓５０１と光学レンズ４４の外鍔部４４１とが第２ガスケット５４によってシールされるので、ホルダ４１と第１筐体５１の窓５０１の隙間が塞がれて窓５０１から第１筐体５１内への浸水が抑制される。なお、第３ガスケット５５の第１操作部５５１、第２操作部５５２及び透過部５５３は、支持部材７の挿通孔７０に対向している（図１０参照）。
【００８５】
（Ｄ）第１筐体５１への第１ガスケット５３の取付
作業者は、第１ガスケット５３の枠部５３０の凹所５３００に、第１筐体５１の一対の第１内壁５１３及び一対の第２内壁５１４のそれぞれの上端部分を圧入する。さらに、作業者は、第１ガスケット５３の固定部５３１のねじ挿通孔５３１１に第１筐体５１の第２ボス５１６の先端部分を圧入し、かつ、固定部５３１の各嵌合孔５３１２に第１筐体５１の各突起５１９を嵌合する。このようにして第１ガスケット５３が第１筐体５１に取り付けられる（図１０参照）。
【００８６】
（Ｅ）制御装置への結線
作業者は、常用電源用の一対の電源線８０を、第１ガスケット５３の２つの電線保持部５３２のうちの後方の電線保持部５３２の穴５３２０に圧入して保持させる（図１９及び図２０参照）。また、作業者は、非常用電源用の一対の電線８１を、第１ガスケット５３の２つの電線保持部５３２のうちの前方の電線保持部５３２の穴５３２０に圧入して保持させる（図１９参照）。作業者は、一対の電源線８０の一端を制御装置６の入力端子台６０３に結線する。さらに、作業者は、一対の電線８１の一端を制御装置６の受け側コネクタ６４に電気的に接続する。ここで、制御装置６は、筐体５の長手方向の一方の端（左端）に寄せられて筐体５内に収容されている。そのため、非常用照明装置３は、筐体５と制御装置６との間に、電源線８０及び電線８１の配線用のスペースを確保することができる（図２０参照）。この配線用のスペースにより、非常用照明装置３は、制御装置６への結線作業の作業性の向上を図ることができる。
【００８７】
（Ｆ）第２筐体５２への制御装置６の組み込み
作業者は、第２筐体５２の内側に制御装置６を収容する。このとき、制御装置６は、第２筐体５２の複数のリブ５２０４によって支えられる（図８参照）。
【００８８】
（Ｇ）筐体５の組立
作業者は、第１筐体５１の第１ボス５１５の先端（上端）を第２筐体５２の固定部５２３の穴５２３０に挿入し、かつ、第１筐体５１の第２ボス５１６の先端（上端）を第２筐体５２の突部５２２０の穴５２２１に挿入する（図８参照）。このとき、第１ガスケット５３の２つの電線保持部５３２は、第２筐体５２の固定部５２３の２つの凹み５２３１のうちの対応する凹み５２３１に嵌め込まれる。そして、作業者は、第２筐体５２の上面側から固定部５３１の穴５２３０にねじを挿入し、そのねじを第１ボス５１５のねじ穴にねじ込む。さらに、作業者は、第２筐体５２の上面側から突部５２２０の穴５２２１にねじを挿入し、そのねじを第２ボス５１６のねじ穴にねじ込む。つまり、第１筐体５１と第２筐体５２は、２本のねじによってねじ止めされて筐体５を構成する。ここで、第１筐体５１の一対の第１内壁５１３及び一対の第２内壁５１４と、第２筐体５２の一対の第１側壁５２１、一対の第２側壁５２２及び固定部５２３とは、第１ガスケット５３の枠部５３０によってシールされる。また、第１ガスケット５３の一対の電線保持部５３２が有する３本のリブ５３２１が、第２筐体５２の固定部５２３の凹み５２３１に押し潰されるように変形することで第２筐体５２の一対の凹み５２３１をシールしている。したがって、第１筐体５１と第２筐体５２の境界面からの浸水が第１ガスケット５３によって抑制される。
【００８９】
（Ｈ）固定部材５６の筐体５への取付
作業者は、固定部材５６の一対の取付片５６２を第２筐体５２の突台部５２４の上に被せ、各取付片５６２のねじ挿通孔５６４に挿通したねじを突台部５２４の２つのボス５２４０のうちの対応するボス５２４０のねじ孔５２４１にねじ込む。固定部材５６は、固定片５６０を第２筐体５２の突台部５２４に対向させるようにして筐体５に取り付けられる（図１４〜図１７参照）。
【００９０】
以上のような手順で非常用照明装置３の組立が完了する。
【００９１】
ここで、第３ガスケット５５の第１操作部５５１は、制御装置６の第１伝達部材６２１４と対向し、第３ガスケット５５の第２操作部５５２は、制御装置６の第２伝達部材６２１５と対向している（図１８参照）。したがって、上向きに移動する第１操作部５５１が第１伝達部材６２１４を上向きに押すことにより、第１押釦スイッチ６１１の押釦が第１伝達部材６２１４に押されて第１押釦スイッチ６１１がオンする。また、上向きに移動する第２操作部５５２が第２伝達部材６２１５を上向きに押すことにより、第２押釦スイッチ６１２の押釦が第２伝達部材６２１５に押されて第２押釦スイッチ６１２がオンする。つまり、第３ガスケット５５は、制御装置６の第１伝達部材６２１４及び第２伝達部材６２１５を押操作可能としつつ、突壁５１８の内側をシールしている。さらに、第３ガスケット５５の透過部５５３は、支持部材７の挿通孔７０及び制御装置６のケース６２に設けられている２つの窓６２１６、６２１７を通して、表示素子６１３及び受光素子６１４に対向している（図１８参照）。したがって、表示素子６１３が発する光（緑色光）は、窓６２１７を通してケース６２の外に放射された後、第３ガスケット５５の透過部５５３を透過して筐体５の外に放射される。また、リモートコントローラから送信される制御信号は、第３ガスケット５５の透過部５５３を透過した後、ケース６２の窓６２１６を通して受光素子６１４に到達する。なお、透過部５５３が第３ガスケット５５の本体５５０よりも十分に薄く形成されているので、表示素子６１３の発する光やリモートコントローラから送信される制御信号が透過部５５３を透過する際の減衰を抑制することができる。
【００９２】
非常用照明装置３の筐体５は、上述のように第１ガスケット５３によって第１筐体５１と第２筐体５２がシールされることで防水機能を有するように構成されている。さらに、非常用照明装置３は、非常用光源ユニット４から放射される光を取り出すための窓５０１が第１筐体５１に設けられ、その窓５０１をシールする第２ガスケット５４を有している。そのため、非常用照明装置３は、防水機能を有する筐体５から非常用光源ユニット４のＬＥＤモジュール４０が放射する光を取り出すための構造を容易に設けることが可能である。
【００９３】
また、支持部材７は、第１筐体５１と支持部材７が並ぶ方向（上下方向）に沿った第３ガスケット５５の変位を規制している。つまり、第３ガスケット５５は、支持部材７によって変位が規制されるため、第１筐体５１の突壁５１８からの脱落が防止される。
【００９４】
さらに、第２ガスケット５４は、第１筐体５１の窓５０１と非常用光源ユニット４の光学レンズ４４をシールすることで窓５０１とホルダ４１の隙間を塞いでいる。したがって、非常用照明装置３は、窓５０１とホルダ４１の隙間からの浸水を抑制することができる。
【００９５】
ここで、第１ガスケット５３の支持部５３３は、筐体５内において第１筐体５１の各第１内壁５１３と制御装置６のケース６２の間に配置されて制御装置６を支持している（図１８参照）。したがって、第１ガスケット５３の支持部５３３が制御装置６を支持することにより、筐体５内における制御装置６のがたつきを抑えることができる。
【００９６】
次に、照明器具１の組立手順を説明する。ただし、器具本体１０に非常用電源ユニット９を取り付ける作業についての説明は省略する。また、以下に説明する組立手順（Ｉ）〜（Ｋ）は一例に過ぎず、いくつかの組立作業の順番が入れ替わっても構わない。
【００９７】
（Ｉ）器具本体１０への非常用照明装置３の取付
作業者は、常用照明装置２を取り付ける前に非常用照明装置３を器具本体１０に取り付ける。まず、作業者は、非常用照明装置３の筐体５のうちの第２筐体５２を器具本体１０内に収容する。続いて、作業者は、天板１１に設けられている３つのねじ挿通孔１１０（図４参照）のそれぞれに、器具本体１０の天板１１の上面側からねじを挿通し、それぞれのねじを第２筐体５２の底壁５２０に設けられている３つのボス５２０２のねじ孔５２０３にねじ込む。つまり、非常用照明装置３は、３本のねじによって器具本体１０の天板１１にねじ止めされる。
【００９８】
（Ｊ）制御装置６の結線
作業者は、第１ガスケット５３の前方の電線保持部５３２に保持されている２本の電線８１と、非常用電源ユニット９の電気ケーブルに設けられたコネクタとを結線する（図１９参照）。ただし、第１ガスケット５３の後方の電線保持部５３２に保持されている２本の電源線８０（図１９及び図２０参照）は、照明器具１の施工時に常用電源の電源線と電気的に接続される。
【００９９】
（Ｋ）器具本体１０への常用照明装置２の取付
作業者は、常用照明装置２の上部（２つの取付具２４の第２固定部２４１よりも上側の部分）を器具本体１０内に挿入する。そして、作業者は、右側のエンド部材２２１のカバー部２２１４の凹部２２１５にドライバの軸を挿入し、凹部２２１５の底壁に設けられている孔２２１６を通して、第２固定部２４１のねじ挿通孔２４３に挿通されている取付ねじを締め込む。作業者がドライバを使って取付ねじを締め込めば、取付ねじが、器具本体１０の右側の取付片１３０のねじ孔１３１にねじ込まれる。その結果、右側の取付具２４の第２固定部２４１が器具本体１０の右側の取付片１３０にねじ止めされる。続いて、作業者は、左側のエンド部材２２１のカバー部２２１４の凹部２２１５にドライバの軸を挿入し、凹部２２１５の底壁に設けられている孔２２１６を通して、第２固定部２４１のねじ挿通孔２４３に挿通されている取付ねじを締め込む。作業者がドライバを使って取付ねじを締め込めば、取付ねじが、固定部材５６の固定孔５６３に保持されているナットにねじ込まれる。その結果、左側の取付具２４の第２固定部２４１が固定部材５６の固定片５６０にねじ止めされる。最後に、作業者は、カバー部２２１４の表面に露出している凹部２２１５の口をテープなどで塞いで目隠しする。このようにして、常用照明装置２が器具本体１０に取り付けられることで照明器具の組立が完了する(図２参照)。
【０１００】
（４）変形例
以下に、光学レンズ４４の第１〜第３変形例について、図２１Ａ〜図２１Ｃを参照しながら説明する。以下では上述した実施形態を「基本例」と呼ぶ。以下に説明する変形例も、上述した基本例と適宜組み合わせて適用可能である。
【０１０１】
基本例では、凹部４４６は、中空であった。つまり、基本例の反射面４４４は、空気層４４８と接する凹部４４６の第１内側面４４６Ａであった。しかし、この限りではなく、例えば図２１Ａに示す第１変形例のように、凹部４４６の第１内側面４４６Ａは、金属層４４９で覆われていてもよい。この場合、反射面４４４は、第１内側面４４６Ａではなく、第１内側面４４６Ａと接する金属層４４９の表面である。金属層４４９は、光反射率の高い金属材で第１内側面４４６Ａを薄膜状にコーティングして形成されていてもよい。
【０１０２】
また、図２１Ｂに示す第２変形例のように、凹部４４６の第２内側面４４６Ｂが金属層４５２で覆われていてもよい。この場合、反射面４４４は、基本例と同様に、空気層４５１と接する凹部４４６の第１内側面４４６Ａである。基本例では、反射面４４４に対する光の入射角が臨界角未満のとき、光が第１内側面４４６Ａから出射してしまう。第２変形例では、空気層４５１の背後に金属層４５２が設けられていることで、第１内側面４４６Ａから出射した光を金属層４５２で反射させることができる。
【０１０３】
あるいは、図２１Ｃに示す第３変形例のように、凹部４４６が光反射率の高い金属材で隙間なく埋められていてもよい。つまり、第１内側面４４６Ａ、第２内側面４４６Ｂ及び底面４４６Ｃの全てを覆う金属層４５３が設けられていてもよい。この場合、反射面４４４は、第１内側面４４６Ａと接する金属層４５３の表面であり、第１変形例と同様の効果が望める。また、第１内側面４４６Ａのみを金属材でコーティングする第１変形例に比べて、光学レンズ４４の製造が容易となる。
【０１０４】
（５）利点
以上説明したように、第１の態様に係る光学レンズ４４は、光源（ＬＥＤモジュール４０）から放射された光が入射する入射面４４２と、入射面４４２から入射した光を出射する出射面４４３と、反射面４４４とを備える。出射面４４３は、入射面４４２と対向し、入射面４４２から離れる方向に凸形状に形成されている。反射面４４４は、光源から見て、入射面４４２から出射面４４３までの間に配置されている。反射面４４４は、入射面４４２から入射した光のうち、出射面４４３の第１領域４Ａに向かって進む光を、第１領域４Ａとは異なる出射面４４３の第２領域４Ｂへ反射する。第２領域４Ｂは、上記光源の光軸Ｘ１と交差する領域である。
【０１０５】
第１の態様によれば、例えば光の進行を遮る物が出射面４４３の第１領域４Ａと対向して配置されていても、出射面４４３の第２領域４Ｂからの光の出射量を増やすことができ、光取り出し効率を向上することができる。
【０１０６】
第２の態様に係る光学レンズ４４は、第１の態様において、出射面４４３と対向する基端面４４５と、基端面４４５から出射面４４３に向かって窪む凹部４４６とを備えることが好ましい。この場合、基端面４４５は、上記光源の光軸Ｘ１に沿って見たときに、入射面４４２と隣り合う。凹部４４６は、互いに対向する第１内側面４４６Ａ及び第２内側面４４６Ｂを有する。第１内側面４４６Ａは、上記光源から見て第２内側面４４６Ｂよりも手前に配置される。ここで、凹部４４６のうち少なくとも第１内側面４４６Ａは、空気層（４４８，４５１）で覆われていることが好ましい。反射面４４４は、第１内側面４４６Ａであることが好ましい。
【０１０７】
第２の態様によれば、反射面４４４に対する光の入射角が臨界角以上であれば、光は反射面４４４で全反射するため、第２領域４Ｂからの光の出射量を増やすことができる。また、簡単な構成でありながらも、反射面４４４を提供することができる。
【０１０８】
第３の態様に係る光学レンズ４４は、第１の態様において、出射面４４３と対向する基端面４４５と、基端面４４５から出射面４４３に向かって窪む凹部４４６とを備えることが好ましい。この場合、基端面４４５は、上記光源の光軸Ｘ１に沿って見たときに、入射面４４２と隣り合う。凹部４４６は、互いに対向する第１内側面４４６Ａ及び第２内側面４４６Ｂを有する。第１内側面４４６Ａは、上記光源から見て第２内側面４４６Ｂよりも手前に配置される。ここで、凹部４４６のうち少なくとも第１内側面４４６Ａは、金属層（４４９，４５３）で覆われていることが好ましい。反射面４４４は、第１内側面４４６Ａと接する金属層（４４９，４５３）の表面であることが好ましい。
【０１０９】
第３の態様によれば、反射面４４４に対する光の入射角に関わらず、第２領域４Ｂからの光の出射量を増やすことができる。
【０１１０】
第４の態様に係る光学レンズ４４に関して、第２の態様又は第３の態様において、第１内側面４４６Ａは、出射面４４３に向かうほど第２内側面４４６Ｂに近づく方向に傾斜していることが好ましい。第４の態様によれば、第１内側面４４６Ａが傾斜していない場合に比べて、第２領域４Ｂからの光の出射量を増やすことができる。
【０１１１】
第５の態様に係る光学レンズ４４に関して、第４の態様において、第１内側面４４６Ａは、基端面４４５に向かって膨らむような曲面であることが好ましい。第５の態様によれば、第２領域４Ｂからの光の出射量をさらに増やすことができる。
【０１１２】
第６の態様に係る光学レンズ４４に関して、第２の態様〜第５の態様のいずれか１つにおいて、凹部４４６は、光軸Ｘ１に沿って見たときに、入射面４４２の周囲を囲むように環状に形成されていることが好ましい。第６の態様によれば、入射面４４２から入射した光のうち光軸Ｘ１に対して直交する方向へ進む光を、出射面４４３の第２領域４Ｂへ向けて反射させることができる。
【０１１３】
第７の態様に係る光学レンズ４４は、第１の態様〜第６の態様のいずれか１つにおいて、出射面４４３に向かって窪み、内表面で上記光源を覆うように当該光源を収容する収容部４４７を備えることが好ましい。入射面４４２は、収容部４４７の内表面であることが好ましい。第７の態様によれば、入射面４４２が上記光源と対向する平坦な面である場合に比べて、さらに光取り出し効率を向上することができる。
【０１１４】
第８の態様に係る照明装置（非常用照明装置３）は、第１の態様〜第７の態様のいずれか１つの光学レンズ４４、及び上記光源を有した光源ユニット（非常用光源ユニット４）を備える。また、当該照明装置は、光源ユニットを点灯する制御装置６と、少なくとも光源ユニットを収容する筐体５とを備える。筐体５は、光学レンズ４４の出射面４４３を筐体５の外部に露出する窓５０１を有する。第８の態様によれば、光取り出し効率を向上するができる光学レンズ４４を備えた照明装置を提供することができる。
【０１１５】
第９の態様に係る照明装置（非常用照明装置３）に関して、第８の態様において、光学レンズ４４は、出射面４４３の周縁に沿って出射面４４３から離れる方向に突出する外鍔部４４１を備えることが好ましい。筐体５は、外鍔部４４１を支持する支持突起５０６を有することが好ましい。支持突起５０６は、窓５０１の周縁に沿って外鍔部４４１に向かって突出することが好ましい。出射面４４３の第１領域４Ａは、上記光源から見たときに、支持突起５０６の少なくとも一部と重なることが好ましい。出射面４４３の第２領域４Ｂは、上記光源から見たときに、支持突起５０６の上記少なくとも一部と重ならないことが好ましい。
【０１１６】
第９の態様によれば、光学レンズ４４は、その側面に配置された支持突起５０６の少なくとも一部に向かって進行する光を、出射面４４３の（望ましい）第２領域４Ｂへ反射させることができる。よって、光取り出し効率を向上するができる。
【０１１７】
第１０の態様に係る照明器具１は、第８の態様又は第９の態様の照明装置（非常用照明装置３）と、当該照明装置を支持する器具本体１０とを備える。第１０の態様によれば、光取り出し効率を向上するができる照明装置を備えた照明器具１を提供することができる。
【符号の説明】
【０１１８】
１  照明器具
３  非常用照明装置（照明装置）
４  非常用光源ユニット（光源ユニット）
４０  ＬＥＤモジュール（光源）
４４  光学レンズ
４４１  外鍔部
４４２  入射面
４４３  出射面
４Ａ  第１領域
４Ｂ  第２領域
４４４  反射面
４４５  基端面
４４６  凹部
４４６Ａ  第１内側面
４４６Ｂ  第２内側面
４４７  収容部
４４８，４５１  空気層
４４９，４５３  金属層
５  筐体
５０１  窓
５０６  支持突起
６  制御装置
１０  器具本体
Ｘ１  光軸
【図１】
2018124519.tif 000003
【図２】
2018124519.tif 000004
【図３】
2018124519.tif 000005
【図４】
2018124519.tif 000006
【図５】
2018124519.tif 000007
【図６】
2018124519.tif 000008
【図７】
2018124519.tif 000009
【図８】
2018124519.tif 000010
【図９】
2018124519.tif 000011
【図１０】
2018124519.tif 000012
【図１１】
2018124519.tif 000013
【図１２】
2018124519.tif 000014
【図１３】
2018124519.tif 000015
【図１４】
2018124519.tif 000016
【図１５】
2018124519.tif 000017
【図１６】
2018124519.tif 000018
【図１７】
2018124519.tif 000019
【図１８】
2018124519.tif 000020
【図１９】
2018124519.tif 000021
【図２０】
2018124519.tif 000022
【図２１】
2018124519.tif 000023